(57)【要約】      （修正有）【課題】サイズ等の表示具を強固に取付け、かつ簡単に分離できるようにした衣料用ハンガーを提供する。【解決手段】左右に延びるアーム部分の中央から上方にフック４を設けてなる衣料用ハンガー本体にサイズ等の表示を施した表示具の取り付け部８を形成し、表示具７の少なくとも一側面に表示部が形成され、他側面に抜け止め用突起７が形成されるとともに、表示具取り付け部には表示具の周縁部を挟む一対の鉤形突起部１１と、表示具取り付け部に装着された表示具の抜け止め用突起が嵌合する抜け止め嵌合部１２を形成し、表示具取り付け部に表示具が取り付けられ抜け止め用突起が抜け止め嵌合部に嵌合すると表示具が抜け止めされて固定され、抜け止め用突起と抜け止め嵌合部との嵌合を解くと表示具を表示具取り付け部から分離可能に構成した。【選択図】図４
0003152222.tif 000002
【実用新案登録請求の範囲】
【請求項１】
左右に延びるアーム部分の中央から上方にフックを設けてなる衣料用ハンガー本体に、衣料等が装着されたときに外面に露出する部分に設けられるサイズ等の表示を施した表示具の取り付け構造であって、表示具と、フックとアーム部分との連結隅部分ないしその近傍部分に形成された表示具取り付け部とからなり、表示具は板状に形成されたすくなくとも一側面に表示部が形成されるとともに、他側面に抜け止め用突起が形成され、表示具取り付け部は板状でハンガー本体と一体に形成され、当該表示具取り付け部には表示具の周縁部を挟む一対の鉤形突起部と、表示具取り付け部に装着された表示具の抜け止め用突起が嵌合する抜け止め嵌合部を形成し、表示具取り付け部に表示具が取り付けられ、抜け止め用突起が抜け止め嵌合部に嵌合すると表示具が抜け止めされて固定され、抜け止め用突起と抜け止め嵌合部との嵌合を解くと、表示具を表示具取り付け部から分離可能に構成したことを特徴とする衣料用ハンガーのサイズ等の装着構造。
【請求項２】
取り付け部の抜け止め嵌合部がフック側で広くなる台形の透孔で形成されていることを特徴とする請求項１に記載の衣料用ハンガーのサイズ等の装着構造。
【請求項３】
フックとアーム部分とを合成樹脂で一体に成型して衣料用ハンガー本体が形成されていることを特徴とする請求項１または請求項２に記載の衣料用ハンガーのサイズ等の装着構造。
【考案の詳細な説明】
【技術分野】
【０００１】
本考案は、衣料用ハンガーにおけるサイズ等の表示具の装着構造に関するものである。
【背景技術】
【０００２】
一般に、服や下着等を吊持する衣料用ハンガーは、衣料を吊持した状態で小売店に搬入され、これをその儘、またはサイズ別に仕分けされて展示・販売されるようになっている。
小売店への搬入時には、縫製時の縫い針や折れた針が製品の中に残っていないかを検針機で検査することから、この種のハンガーは一般的に合成樹脂で形成されている。
また、衣類のサイズを表示する場合、一般的には周囲の三箇所にサイズの数字や号数を印刷手段（例えば特許文献１参照）によりプリントした短寸で“Ｃ”型のサイズ表示用小片をハンガーのフック部分に嵌着するようにしている。
【０００３】
ところが、サイズ表示用チップのＣ形部分をハンガーのフック部分に弾性変形させて直接嵌着するようにしたものでは、その弾性力で止まっているだけなので、このサイズ表示用チップが連れ動き易いだけでなく、ハンガーのフック部分から外れて取れてしまいやすいという問題があった。
しかも、小さなＣ形のサイズ表示用チップの周面に位相を異ならせて印刷しなくてはならず、装置全体が大型化するだけでなく、印刷時に印刷面の周囲に固定用のマージンが必要であることから、印刷される表示部分も小さく見難いものとなってしまうという問題もある。
【０００４】
上記問題に対処するために、例えば特許文献２にあるように、アームの中央部分の空いている場所にサイズ等を紙や樹脂シートに印刷したラベルやステッカーを貼着するようにしたものも提案されているが、こうしたものでは吊持した衣料がずれ動くとサイズ等の表示部が隠れてしまうことがあり、視認性を充分に確保できないという問題があった。
一方、合成樹脂製ハンガーでは、その使用後は再生用のプラスチック原料として回収されて再利用されるのであるが、上記のようにハンガーにラベルやステッカーが貼着されている場合、このラベルやステッカーをきれいに剥離してから再生しなくてはならず、その剥離に多大な手間を要し生産性が悪く、コストがかかりすぎるために再生用のプラスチック原料にしにくいという問題があった。
【先行技術文献】
【特許文献】
【０００５】
【特許文献１】特開平８−１４０８１６号公報
【特許文献２】特開平１０−７１０６４号公報
【考案の概要】
【考案が解決しようとする課題】
【０００６】
本考案は上記問題点に鑑みて提案されたもので、サイズ等の表示具をハンガー本体にしっかりと取り付けられるとともに表示具を備えた衣料用ハンガーが、回収されて再生用のプラスチック原料にするときにはハンガー本体に取り付けられた表示具をハンガー本体から簡単に分離できるようにした衣料用ハンガーのサイズ等の装着構造を提供できるようにすることを目的とするものである。
【課題を解決するための手段】
【０００７】
上記目的を達成するために本考案にかかる衣料用ハンガーのサイズ等の装着構造は、左右に延びるアーム部分の中央から上方にフックを設けてなる衣料用ハンガー本体に、衣料等が装着されたときに外面に露出する部分に設けられるサイズ等の表示を施した表示具の取り付け構造であって、表示具と、フックとアーム部分との連結隅部分ないしその近傍部分に形成された表示具取り付け部とからなり、表示具は板状に形成されたすくなくとも一側面に表示部が形成されるとともに、他側面に抜け止め用突起が形成され、表示具取り付け部は板状でハンガー本体と一体に形成され、当該表示具取り付け部には表示具の周縁部を挟む一対の鉤形突起部と、表示具取り付け部に装着された表示具の抜け止め用突起が嵌合する抜け止め嵌合部を形成し、表示具取り付け部に表示具が取り付けられ、抜け止め用突起が抜け止め嵌合部に嵌合すると表示具が抜け止めされて固定され、抜け止め用突起と抜け止め嵌合部との嵌合を解くと、表示具を表示具取り付け部から分離可能に構成したことを最も主要な特徴とするものである。
【０００８】
また、本発明にかかる衣料用ハンガーのサイズ等の装着構造では、取り付け部の抜け止め嵌合部がフック側で広くなる台形の透孔で形成されていることや、フックとアーム部分とを合成樹脂で一体に成型して衣料用ハンガー本体が形成するようにしたことも特徴とするものである。
【考案の効果】
【０００９】
本考案によれば、左右に延びるアーム部分の中央から上方にフックを設けてなる衣料用ハンガー本体にサイズ等の表示を施した表示具の取り付け部を形成し、表示具の少なくとも一側面に表示部が形成され、他側面に抜け止め用突起が形成されるとともに、表示具取り付け部には表示具の周縁部を挟む一対の鉤形突起部と、表示具取り付け部に装着された表示具の抜け止め用突起が嵌合する抜け止め嵌合部を形成し、表示具取り付け部に表示具が取り付けられ抜け止め用突起が抜け止め嵌合部に嵌合すると表示具が抜け止めされて固定され、抜け止め用突起と抜け止め嵌合部との嵌合を解くと表示具を表示具取り付け部から分離可能に構成してあるので、サイズ等の表示具をハンガー本体にしっかりと取り付けることができる。
【００１０】
かくして取り付けられた表示具は邪魔にならず、しかもアーム部分より高い位置に設けられるので、衣料用ハンガーに吊持した衣料がずれ動いたときでも表示部が隠れることがなく視認性を確保することができる。
また、使用済みのハンガーを回収し、再生用のプラスチック原料にするときにはハンガー本体に取り付けられた表示具をハンガー本体から簡単に分離できるようにしてあるので、手間をかけることなく、表示具をハンガー本体から簡単に分離できる。
これにより、回収した衣料用ハンガーを再生用のプラスチック原料にするときに、紙や樹脂シートに印刷したラベルやステッカーを貼着する従来のものに比べて、ラベルやステッカーを剥離するために要する多大な手間を無くし、生産性を向上させ、安価にプラスチックのリサイクルを図ることができる利点がある。
【図面の簡単な説明】
【００１１】
【図１】は本考案に係るサイズ等の表示具を備えた衣料用ハンガーの正面図である。
【図２】は本考案に係るサイズ等の表示具を備えた衣料用ハンガーの表示具取り付け部分の縦断側面図である。
【図３】は本考案に係るサイズ等の表示具を備えた衣料用ハンガーの表示具取り付け部分の正面図である。
【図４】は本考案に係るサイズ等の表示具を備えた衣料用ハンガーの表示具取り付け部分の分解斜視図である。
【図５】は本考案に係るサイズ等の表示具を備えた衣料用ハンガーの表示具の抜け止めよう突起の変形例を示す当該部分の横断平面図である
【考案を実施するための形態】
【００１２】
以下、本考案にかかるサイズ等の表示具を備えた衣料用ハンガーにおけるサイズ等の装着構造の最も好ましい実施の形態を図面に基づいて説明する。
図１は本考案に係るサイズ等の表示具を備えた衣料用ハンガーの正面図であって、図中符号１は衣料用ハンガーを全体的に示す。
【００１３】
このサイズ等の表示具を備えた衣料用ハンガー１は、合成樹脂により、左右に延びるアーム部分２の中央部分３から上方にフック４を一体に設けてハンガー本体５が形成され、このハンガー本体５のフック４とアーム部分２との連結隅部分６の近傍部分に後述するサイズの表示具７を装着する表示具取り付け部８が形成されている。
上記ハンガー本体５はポリエチレン、ポリプロプレンなどの合成樹脂材料で断面が図４に示すようにＩ形に形成されているが、ポリスチレンやその他の硬質の合成樹脂材料で形成されることもある。
【００１４】
そして、左右のアーム部分２の各先端寄り部分の下面にはショーツやパンツの端を挟むための複数の挟持部９が垂下され、その上面部分にはスカートやブラジャーのストラップを挟み込んで吊持する掛止部１０が形成されている。
上記サイズ等の表示具７を装着する表示具取り付け部８は、フック４とアーム部分２とが鋭角をなす連結隅部分６の近傍部分に板状に突出形成させてあり、その一側面（図上手前側の面）の上下周縁部にフック状の鉤形突起部１１（図２参照）が形成されるとともに、先端部分には正面視において中側（フック４側）で広くなる鳩尾形の切り欠きからなる抜け止め嵌合部１２が形成されている。
尚、図中符号１３は、鉤形突起部１１の鉤部分１１ａを形成するときの型を抜くための型抜き孔である。
【００１５】
一方、表示具取り付け部８に装着するサイズ等の表示具７は、図３および図４に示すように、上記鉤形突起部１１に保持される小判形の板状に合成樹脂で形成され、表面部分１４にサイズ（表示部）１５が直接印刷、もしくはシールの貼着により設けられるとともに、上記抜け止め嵌合部１２に対応する裏面部分１６には当該抜け止め嵌合部１２に嵌合する抜け止め用突起１７を突出させて形成してある。
【００１６】
上記のように構成されたサイズ等の表示具７をハンガー本体５の表示具取り付け部８に装着および分離する手順を次に説明する。
まず、ハンガー本体５に装着する衣料、もしくはハンガー本体５に装着した衣料（図示せず）に合致するサイズ１５を表示をした表示具７を選択し、この選択された表示具７を図４に示すように、側方から表示具取り付け部８に差し込む。
すると、表示具取り付け部８と表示具７とが互い撓みながら、抜け止め用突起１７が抜け止め嵌合部１２の開口部を乗り越えた後、抜け止め用突起１７が抜け止め嵌合部１２に嵌合する。
【００１７】
この時、図５に示すように、抜け止め用突起１７の後面部分１８を傾斜状にすると、表示具７の表示具取り付け部８への装着が簡単に行える。
斯くして抜け止め用突起１７が抜け止め嵌合部１２に嵌合すると、表示具取り付け部８に表示具７がしっかりと抜け止めされた状態で固定される。
これにより、衣料のサイズ１５を表示する表示具７が邪魔にならない場所で、大きく表示される。
因みに、ハンガー本体５、特に表示具取り付け部８の部分を透明にし、表示具７を、その表裏にサイズ等を直接印刷、もしくはシールの貼着により形成したものにすると、ハンガー本体５の表裏両面から表示具７に現されたサイズ１５を視認することができる。
【００１８】
次に、使用後、回収されたサイズ等の表示具を備えた衣料用ハンガー１を再生用樹脂原料にする場合、表示具取り付け部８と表示具７を、その抜け止め用突起１７と抜け止め嵌合部１２とが離反するように撓ませて、抜け止め用突起１７と抜け止め嵌合部１２の嵌合を解き、表示具７を表示具取り付け部８から抜き出す方向にスライドさせると、表示具７は表示具取り付け部８から分離することができる。
これにより、表示具７がハンガー本体５と異なる材質で形成されている場合やシールを貼着してある場合にでも、簡単にハンガー本体５を再生用樹脂原料とすることができるのである。
【００１９】
尚、本考案は、上述した実施の例に限定されるものではなく、例えば表示具７やこれを装着する表示具取り付け部８の形状は４角形や楕円等に変更することができるのはいうまでもなく、表示具取り付け部８を形成する部分は、衣料用ハンガー本体５のフック４とアーム部分２とにわたって設けることができる。
さらに、抜け止め用突起１７と抜け止め嵌合部１２との形状は、円形、楕円形、多角形等種々変更することも可能である。
【符号の説明】
【００２０】
１・・・サイズ等の表示具を備えた衣料用ハンガー
２・・・アーム部分
４・・・フック
５・・・ハンガー本体
６・・・連結隅部分
７・・・表示具
８・・・表示具取り付け部
１１・・・鉤形突起部
１２・・・抜け止め嵌合部
１５・・・サイズ（表示部）
１７・・・抜け止め用突起
【図１】
0003152222.tif 000003
【図２】
0003152222.tif 000004
【図３】
0003152222.tif 000005
【図４】
0003152222.tif 000006
【図５】
0003152222.tif 000007